【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
原稿の画像を読み取る画像読取部と、
該画像読取部の下方に間隔を置いて配置され、記録部材に画像を形成する画像形成部と、
前記画像読取部と前記画像形成部との空間部に設けられ、前記画像形成部から記録部材が排出される排出部と、
を備えた画像形成装置において、
前記空間部に、前記排出部から排出される記録部材に第１の処理を施す第１の後処理装置を配置可能な配置空間を隔てて前記記録部材に第２の処理を施す第２の後処理装置が設けられ、
前記第１の後処理装置と前記第２の後処理装置は第１のロック手段によって固定され、前記第２の後処理装置と装置本体部は第２のロック手段により固定され、これら第１及び第２のロック手段は直線的に同一平面上に配置され、
前記配置空間には、前記第１の後処理装置を省略して前記第２の後処理装置が配置され、又は、前記第２の処理とは異なる後処理を行う後処理装置が選択的に装着され、
前記空間部には、ガイド部材が配置され、
前記第２の後処理装置はこのガイド部材によって前記排出部から離間した状態で移動可能に支持され、
前記第１の後処理手段は前記配置空間に前記ガイド部材と干渉しないように装着されていることを特徴とする画像形成装置。
【請求項２】
請求項１記載の画像形成装置において、
前記ガイド部材が一対のガイドレールからなり、
前記第２の後処理装置は前記ガイドレールに沿って移動可能に支持され、
前記第１の後処理装置は前記ガイドレールに対して前記配置空間で着脱可能に支持されることを特徴とする画像形成装置。
【請求項３】
請求項２記載の画像形成装置において、
前記第１の後処理装置は前記第２の後処理装置とは独立して移動可能に支持されていることを特徴とする画像形成装置。
【請求項４】
請求項１ないし３のいずれか１項に記載の画像形成装置において、
前記第２の後処理装置と装置本体部とを電気的に接続する第１のコネクタ手段と、
前記第２の後処理装置と前記第１の後処理装置とを電気的に接続する第２のコネクタ手段と、
前記第１の後処理装置と装置本体部とを電気的に接続する第３のコネクタ手段と、
を備え、これら第１ないし第３のコネクタ手段が直線的に同一平面上に配置されていることを特徴とする画像形成装置。
【請求項５】
請求項１ないし４のいずれか１項に記載の画像形成装置において、
前記ガイド部材の一端に位置決め部材が、他端に前記排出部から挿入された固定部材が挿入される穴を備え、
前記ガイド部材の一端に対応する前記排出部には位置決め部材が嵌合される嵌合穴が形成されていることを特徴とする画像形成装置。
【請求項６】
請求項１ないし４のいずれか１項に記載の画像形成装置において、
前記画像形成部の上面、及び前記第２の後処理装置の前記ガイド部材に沿って移動する際の前面を覆うようにカバー部材を備えたことを特徴とする画像形成装置。
【請求項７】
請求項６記載の画像形成装置において、
前記カバー部材は、前記第１の後処理装置の有無により前記画像形成部の上面を覆う長さが異なることを特徴とする画像形成装置。
【請求項８】
請求項７記載の画像形成装置において、
前記カバー部材の長さは複数枚の長さの異なる部材の組み合わせにより設定されることを特徴とする画像形成装置。
【請求項９】
請求項１記載の画像形成装置において、
前記第２の後処理装置が伸縮可能なトレイを備え、
前記前記第２の後処理装置の前記配置空間のスライド量が前記トレイの最大伸長長さと最小伸縮長さの差分よりも小さく設定されていることを特徴とする画像形成装置。
【請求項１０】
請求項９記載の画像形成装置において、
前記第１の後処理装置の有無に応じて前記スライド量を規制する規制手段を備えていることを特徴とする画像形成装置。
【請求項１１】
請求項９又は１０記載の画像形成装置において、
前記第２の後処理装置は、前記トレイの下側に配置され、当該第２の後処理装置と共に移動するカバーを備え、
前記カバーの先端部は前記トレイの先端部よりも前記第２の後処理装置から離れた位置に位置することを特徴とする画像形成装置。
【手続補正２】
【補正対象書類名】明細書
【補正対象項目名】０００６
【補正方法】変更
【補正の内容】
【０００６】
前記目的を達成するため、第１の手段は、原稿の画像を読み取る画像読取部と、該画像読取部の下方に間隔を置いて配置され、記録部材に画像を形成する画像形成部と、前記画像読取部と前記画像形成部との空間部に設けられ、前記画像形成部から記録部材が排出される排出部と、を備えた画像形成装置において、前記空間部に、前記排出部から排出される記録部材に第１の処理を施す第１の後処理装置を配置可能な配置空間を隔てて前記記録部材に第２の処理を施す第２の後処理装置が設けられ、前記第１の後処理装置と前記第２の後処理装置は第１のロック手段によって固定され、前記第２の後処理装置と装置本体部は第２のロック手段により固定され、これら第１及び第２のロック手段は直線的に同一平面上に配置され、前記配置空間には、前記第１の後処理装置を省略して前記第２の後処理装置が配置され、又は、前記第２の処理とは異なる後処理を行う後処理装置が選択的に装着され、前記空間部には、ガイド部材が配置され、前記第２の後処理装置はこのガイド部材によって前記排出部から離間した状態で移動可能に支持され、前記第１の後処理手段は前記配置空間に前記ガイド部材と干渉しないように装着されていることを特徴とする。
第２の手段は、第１の手段において、前記ガイド部材が一対のガイドレールからなり、前記第２の後処理装置は前記ガイドレールに沿って移動可能に支持され、前記第１の後処理装置は前記ガイドレールに対して前記配置空間で着脱可能に支持されることを特徴とする。
第３の手段は、第２の手段において、前記第１の後処理装置は前記第２の後処理装置とは独立して移動可能に支持されていることを特徴とする。
第４の手段は、第１ないし第３のいずれかの手段において、前記第２の後処理装置と装置本体部とを電気的に接続する第１のコネクタ手段と、前記第２の後処理装置と前記第１の後処理装置とを電気的に接続する第２のコネクタ手段と、前記第１の後処理装置と装置本体部とを電気的に接続する第３のコネクタ手段と、を備え、これら第１ないし第３のコネクタ手段が直線的に同一平面上に配置されていることを特徴とする。
第５の手段は、第１ないし第４のいずれかの手段において、前記ガイド部材の一端に位置決め部材が、他端に前記排出部から挿入された固定部材が挿入される穴を備え、前記ガイド部材の一端に対応する前記排出部には位置決め部材が嵌合される嵌合穴が形成されていることを特徴とする。
第６の手段は、第１ないし第４のいずれかの手段において、前記画像形成部の上面、及び前記第２の後処理装置の前記ガイド部材に沿って移動する際の前面を覆うようにカバー部材を備えたことを特徴とする。
第７の手段は、第６の手段において、前記カバー部材は、前記第１の後処理装置の有無により前記画像形成部の上面を覆う長さが異なることを特徴とする。
第８の手段は、第７の手段において、前記カバー部材の長さは複数枚の長さの異なる部材の組み合わせにより設定されることを特徴とする。
第９の手段は、第１の手段において、前記第２の後処理装置が伸縮可能なトレイを備え、前記前記第２の後処理装置の前記配置空間のスライド量が前記トレイの最大伸長長さと最小伸縮長さの差分よりも小さく設定されていることを特徴とする。
第１０の手段は、第９の手段において、前記第１の後処理装置の有無に応じて前記スライド量を規制する規制手段を備えていることを特徴とする。
第１１の手段は、第９又は第１０の手段において、前記第２の後処理装置は、前記トレイの下側に配置され、当該第２の後処理装置と共に移動するカバーを備え、前記カバーの先端部は前記トレイの先端部よりも前記第２の後処理装置から離れた位置に位置することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】